(57)【要約】【課題】個別の電磁シールドを要する複数グループの電線群を含むワイヤハーネスにおいて、電磁シールド機能を備えた電線保護部材の取り付けの容易化を可能にすること。【解決手段】ワイヤハーネス１において、電線保護部材２は、合成樹脂の絶縁層３１と導電部材の導電層３２とを含む積層構造を有する一連の部材からなる。電線保護部材２は、絶縁層３１が外装をなす状態で、かつ、複数の絶縁電線９１，９２，９３を２つ以上のグループに仕切る状態で、複数の絶縁電線９１，９２，９３に巻き付けられて複数の絶縁電線９１，９２，９３の周囲を覆う。【選択図】図２
2014204485.tif 000002
【特許請求の範囲】
【請求項１】
複数の絶縁電線と、
合成樹脂の絶縁層と導電部材の導電層とを含む積層構造を有する一連の部材からなり、前記絶縁層が外装をなす状態で、かつ、複数の前記絶縁電線を２つ以上のグループに仕切る状態で、複数の前記絶縁電線に巻き付けられて複数の前記絶縁電線の周囲を覆う電線保護部材と、を備える、ワイヤハーネス。
【請求項２】
請求項１に記載のワイヤハーネスであって、
前記電線保護部材の前記絶縁層は、前記絶縁電線に巻き付けられた後に硬化した合成樹脂の層を含む、ワイヤハーネス。
【請求項３】
請求項２に記載のワイヤハーネスであって、
前記電線保護部材における前記絶縁層は、合成樹脂の不織布からなり、前記不織布が加熱成形により硬化した部分を含む、ワイヤハーネス。
【請求項４】
請求項１から請求項３のいずれかに記載のワイヤハーネスであって、
前記電線保護部材は、３本以上の前記絶縁電線を３つのグループに仕切る状態で３本以上の前記絶縁電線に巻き付けられている、ワイヤハーネス。
【発明の詳細な説明】
【技術分野】
【０００１】
本発明は、電磁シールド機能を有する電線保護部材を備えるワイヤハーネスに関する。
【背景技術】
【０００２】
自動車などの車両に搭載されるワイヤハーネスは、電線に取り付けられた硬質の合成樹脂からなる電線保護部材を備える場合がある。
【０００３】
従来の一般的な電線保護部材は、例えば特許文献１に示されるように、電線が挿入される溝を形成する本体部材、及びその本体部材と組み合わされて本体部材における溝の開口を塞ぐ蓋部材により構成されている。
【０００４】
また、ワイヤハーネスにおいて電磁シールドが必要な場合、シールド電線が用いられることがある。例えば、シールド電線は、絶縁電線と、導線（裸電線）からなるドレイン線と、それら絶縁電線及びドレイン線を束ねるシールド被覆とを有する。このシールド被覆は、ドレイン線に接触する内側層をなす金属箔と非導電性の外側層をなす合成樹脂の外皮との積層構造を有する。ドレイン線は、車両の金属フレームなどの基準電位点に接続される。
【０００５】
また、電磁シールドが必要な場合、特許文献２に示されるように、電線の周囲を覆う筒状の編組線が用いられる場合もある。編組線は、金属製の筐体などを介して基準電位点に接続される。
【０００６】
一方、特許文献３に示されるワイヤハーネスは、絶縁電線と、ドレイン線と、それら絶縁電線及びドレイン線を束ねる電線保護部材とを備える。この電線保護部材は、２枚の金属箔と２枚の合成樹脂シートとを有する。
【０００７】
特許文献３に示されるワイヤハーネスにおいて、２枚の金属箔は、絶縁電線及びドレイン線を挟んで重ねられている。さらに、２枚の合成樹脂シートは、真空成形によって２枚の金属箔を覆う形状に成形されている。特許文献３に示されるワイヤハーネスにおいて、ドレイン線は、車両の金属フレームなどの基準電位点に接続される。
【先行技術文献】
【特許文献】
【０００８】
【特許文献１】実開平６−６０２３６号公報
【特許文献２】特開２００６−３４４３９８号公報
【特許文献３】特開２０１２−１６４４５１号公報
【発明の概要】
【発明が解決しようとする課題】
【０００９】
ところで、車両のワイヤハーネスにおいて、電線群は、電磁シールドの観点において複数のグループに分類される場合がある。例えば、電線群は、ハイブリッド自動車のインバータ回路などに接続される高圧電力系の電線群のグループ、スライドドア駆動モータなどに接続される低圧電力系の電線群のグループ及びオーディオ機器などに接続される信号系の電線群のグループなどに分類される。そのような電線群は、グループ毎に個別に電磁シールドされることを要する。
【００１０】
従来、電線群の電磁シールドが、２つ以上のグループごとに個別に施される場合、電磁シールド機能を有する電線保護部材が、絶縁電線のグループごとに設けられる。そのため、絶縁電線のグループの数に比例して、電線保護部材の取り付けに要する工数が増大する。
【００１１】
しかしながら、昨今、車両のワイヤハーネスにおいて、電線群の電磁シールドがグループごとに個別に必要な場合に、電磁シールド機能を備えた電線保護部材の取り付けの容易化が求められている。
【００１２】
本発明は、個別の電磁シールドを要する複数グループの電線群を含むワイヤハーネスにおいて、電磁シールド機能を備えた電線保護部材の取り付けの容易化を可能にすることを目的とする。
【課題を解決するための手段】
【００１３】
第１態様に係るワイヤハーネスは、複数の絶縁電線と、その複数の絶縁電線の周囲を覆う電線保護部材と、を備える。上記電線保護部材は、合成樹脂の絶縁層と導電部材の導電層とを含む積層構造を有する一連の部材からなる。そして、上記電線保護部材は、上記絶縁層が外装をなす状態で、かつ、複数の上記絶縁電線を２つ以上のグループに仕切る状態で、複数の上記絶縁電線に巻き付けられて複数の上記絶縁電線の周囲を覆う。
【００１４】
第２態様に係るワイヤハーネスは、第１態様に係るワイヤハーネスの一態様である。第２態様に係るワイヤハーネスにおいて、上記電線保護部材の上記絶縁層は、上記絶縁電線に巻き付けられた後に硬化した合成樹脂の層を含む。
【００１５】
第３態様に係るワイヤハーネスは、第２態様に係るワイヤハーネスの一態様である。第３態様に係るワイヤハーネスにおいて、上記電線保護部材における上記絶縁層は、合成樹脂の不織布からなり、上記不織布が加熱成形により硬化した部分を含む。
【００１６】
第４態様に係るワイヤハーネスは、第１態様から第３態様のいずれかに係るワイヤハーネスの一態様である。第４態様に係るワイヤハーネスにおいて、上記電線保護部材は、３本以上の上記絶縁電線を３つのグループに仕切る状態で３本以上の上記絶縁電線に巻き付けられている。
【発明の効果】
【００１７】
上記の各態様に係るワイヤハーネスにおいて、導電層を含む電線保護部材は、電磁シールド機能を備えている。そして、一連の電線保護部材が、複数の絶縁電線を２つ以上のグループに仕切る状態で複数の絶縁電線に巻き付けられた構造を有する。この場合、絶縁電線のグループの数に関わらず、電線保護部材の取り付けに要する工数はほとんど変わらない。即ち、絶縁電線のグループの数に関わらず、電線保護部材の取り付けは容易である。
【００１８】
また、上記の第２態様において、電線保護部材の絶縁層は、絶縁電線に巻き付けられた後に硬化した合成樹脂の層を含む。そのような絶縁層の硬化部は、絶縁電線を予め定められた経路に沿う形状に維持する機能（経路規制機能）も果たす。
【００１９】
また、上記の第３態様において、合成樹脂の不織布が電線保護部材の絶縁層として採用されている。この場合、不織布の緩衝性により、電線保護部材が周囲の物と接触して異音を発することを防止できる。
【００２０】
さらに、合成樹脂の不織布が絶縁層として採用される場合、絶縁層の一部のみを硬化させることができ、また、絶縁層を部分ごとに異なる硬さで硬化させることもできる。そのため、要求仕様に応じて部分ごとに異なる硬さの電線保護部材を容易に提供することができる。例えば、電線保護部材における硬質巻き付き部及び張出部以外の特定の部分を曲げやすい柔らかな状態にすることなどが可能である。
【００２１】
ところで、ハイブリッド自動車又は電気自動車などの電動車両のワイヤハーネスは、後述するように、それぞれ電磁シールドの要求仕様が異なる３種類の絶縁電線を含む場合がある。従って、３本以上の絶縁電線を３つのグループに仕切る電線保護部材を含む第４態様は、電動車両への適用に好適である。
【図面の簡単な説明】
【００２２】
【図１】本発明の第１実施形態に係るワイヤハーネス１の斜視図である。
【図２】ワイヤハーネス１の正面図である。
【図３】ワイヤハーネス１の分解平面図である。
【図４】直線に沿って取り付けられたワイヤハーネス１の平面図である。
【図５】曲線に沿って取り付けられたワイヤハーネス１の平面図である。
【図６】本発明の第２実施形態に係るワイヤハーネス１Ａの斜視図である。
【図７】本発明の第３実施形態に係るワイヤハーネス１Ｂの平面図である。
【図８】挟み込み構造により支持体に取り付けられたワイヤハーネス１の正面図である。
【発明を実施するための形態】
【００２３】
以下、添付の図面を参照しながら、本発明の実施形態について説明する。以下の実施形態は、本発明を具体化した一例であり、本発明の技術的範囲を限定する事例ではない。以下に示される各実施形態に係るワイヤハーネスは、電線の保護と電磁シールドとが必要な場合に採用され、車両に取り付けられる。
【００２４】
＜第１実施形態＞
まず、図１〜３を参照しつつ、本発明の第１実施形態に係るワイヤハーネス１の構成について説明する。ワイヤハーネス１は、複数の絶縁電線を含む電線群９０とそれら電線群９０の周囲を囲む電線保護部材２とを備えている。
【００２５】
＜電線群＞
電線群９０を構成する絶縁電線９１〜９３は、導電材料からなる芯線と、芯線の周囲を覆う非導電材料からなる絶縁被覆とにより構成されている。本実施形態における電線群９０は、それぞれ電磁シールドの要求仕様が異なる第一絶縁電線９１、第二絶縁電線９２及び第三絶縁電線９３の３種類に分類される。
【００２６】
図１〜３に示される例では、第一絶縁電線９１、第二絶縁電線９２及び第三絶縁電線９３は、それぞれ複数の絶縁電線を含む。しかしながら、第一絶縁電線９１、第二絶縁電線９２及び第三絶縁電線９３のうちの少なくとも１つが、１本の絶縁電線で構成されることも考えられる。
【００２７】
図１，３に示される例では、金属端子８１が、第一絶縁電線９１及び第二絶縁電線９２各々の端部に接続されている。また、コネクタ８２が、第三絶縁電線９３の端部に接続されている。
【００２８】
第一絶縁電線９１は、例えば、高電圧の交流電力系の絶縁電線である。第一絶縁電線９１は、他の２種類の絶縁電線に対するノイズ源となりやすい。そのため、第一絶縁電線９１は、他の２種類の絶縁電線との間で電磁敵に遮蔽されることが望ましい。
【００２９】
第二絶縁電線９２は、例えば、第一絶縁電線９１の伝送電力よりは低電圧の交流電力を伝送する動力系の絶縁電線である。第二絶縁電線９２は、第一絶縁電線９１からノイズを受けやすく、第三絶縁電線９３に対するノイズ源となりやすい。そのため、第二絶縁電線９２は、他の２種類の絶縁電線との間で電磁敵に遮蔽されることが望ましい。
【００３０】
第三絶縁電線９３は、例えば、オーディオ機器の信号を伝送する信号系の絶縁電線である。第三絶縁電線９３は、他の２種類の絶縁電線からノイズの影響を受けやすい。そのため、第三絶縁電線９３は、他の２種類の絶縁電線との間で電磁敵に遮蔽されることが望ましい。
【００３１】
＜電線保護部材＞
電線保護部材２は、その元となるシート材３が電線群９０に巻き付けられた後に所定の硬化処理が施されることによって得られる。シート材３は、合成樹脂の絶縁層３１と導電部材の導電層３２とを含む積層構造を有する。従って、電線保護部材２も、合成樹脂の絶縁層３１と導電部材の導電層３２とを含む積層構造を有する。そして、電線保護部材２は、絶縁層３１が外装をなす状態で電線群９０に巻き付けられて電線群９０の周囲を覆っている。
【００３２】
図３に示されるように、シート材３は、矩形状の基部３０１と、基部３０１から側方に延び出た舌片部３０２とを有する。基部３０１は、絶縁電線９１〜９３に巻き付けられる部分である。一方、舌片部３０２は、絶縁電線９１〜９３に巻き付けられない部分である。
【００３３】
シート材３の絶縁層３１は、元々は柔軟性を有するシート状であるが、所定の硬化処理を施すことによって硬化する。本実施形態における絶縁層３１は、合成樹脂の不織布である。
【００３４】
ここで、不織布について説明する。絶縁層３１として採用される不織布は、例えば、絡み合う基本繊維とバインダと称される接着樹脂とを含む。接着樹脂は、基本繊維の融点よりも低い融点（例えば、約１１０[℃]から約１５０[℃]の融点）を有する熱可塑性樹脂である。このような不織布は、基本繊維の融点よりも低く、かつ、接着樹脂の融点よりも高い温度に加熱されることにより、接着樹脂が溶融して基本繊維の隙間に溶け込む。その後、不織布の温度が、接着樹脂の融点よりも低い温度まで下がると、接着樹脂は、周囲に存在する基本繊維を結合した状態で硬化する。これにより、不織布の形状は、加熱前の状態よりも硬くなり、加熱時に型枠によって成形された形状で維持される。
【００３５】
接着樹脂は、例えば、粒状の樹脂又は繊維状の樹脂などである。また、接着樹脂は、芯繊維の周囲を覆うように形成されることも考えられる。このように、芯繊維が接着樹脂で被覆された構造を有する繊維は、バインダ繊維などと称される。芯繊維の材料は、例えば、基本繊維と同じ材料が採用される。
【００３６】
また、基本繊維は、接着樹脂の融点において繊維状態が維持されればよく、樹脂繊維の他、各種の繊維が採用され得る。また、接着樹脂は、例えば、基本繊維の融点よりも低い融点を有する熱可塑性樹脂繊維が採用される。不織布を構成する基本繊維と接着樹脂との組合せとしては、例えば、ＰＥＴ（ポリエチレンテレフタレート）を主成分とする樹脂繊維が基本繊維として採用され、ＰＥＴ及びＰＥＩ（ポリエチレンイソフタレート）の共重合樹脂が接着樹脂として採用されることが考えられる。そのような不織布において、基本繊維の融点は概ね２５０[℃]であり、接着樹脂の融点は約１１０[℃]から約１５０[℃]の間の温度である。
【００３７】
接着樹脂を含む不織布は、熱可塑性樹脂を含む他の部材と密着した状態で加熱されることにより、加熱された部分が他の部材に溶着する。
【００３８】
また、不織布は、ホットプレス成形により成形可能である。ホットプレス成形は、加工対象である不織布を金型などの加熱体の間に挟み込んで加圧しつつ、その不織布を加熱することにより、不織布を加熱体の内面形状に成形することである。
【００３９】
不織布は、ホットプレス成形において、型枠内で約１１０[℃]から約２５０[℃]までの範囲内の温度に加熱された後に冷却されると、接着樹脂が溶融して周囲の基本繊維を結合するため、型枠の内面に沿う形状に成形され、加熱体に接触した面が硬化する。
【００４０】
不織布がホットプレス成形によって硬化した部材は、その部材自体ある程度の可撓性を有しているが、ホットプレス成形が施される前の不織布に比べ、一定の形状を保持する硬さが強化される。なお、ホットプレス成形は、加熱成形の一例である。
【００４１】
また、シート材３の導電層３２は、柔軟性を有する導電体からなる。例えば、導電層３２は、アルミニウム箔などの金属箔である。また、導電層３２が金属布などであることも考えられる。
【００４２】
便宜上、図２において、導電層３２が、比較的大きな厚みで誇張して描かれている。しかしながら、通常、絶縁層３１と導電層３２との厚みの差は、図２から把握される厚みの差よりも大きい。
【００４３】
金属布は、金属糸の織物である。金属布は、例えば銅を主成分とする金属の糸が縦方向及び横方向に交差して織られた網目構造を有する生地である。金属布は、導電性及び柔軟性を有する。なお、金属布は、金属糸の生地に樹脂材料からなる柔軟性を有するフィルムが貼り付けられた構造を有する場合もある。
【００４４】
シート材３において、絶縁層３１及び導電層３２は重なった状態で接合されている。例えば、絶縁層３１及び導電層３２が、接着剤で接着されていることが考えられる。この場合、接着層が、絶縁層３１と導電層３２との間に形成されている。また、絶縁層３１及び導電層３２が、絶縁層３１の溶着によって接合されていることも考えられる。なお、以下の説明において、接着層の説明は省略されている。
【００４５】
電線保護部材２は、巻き付き部２０と張出部２３とを有する。巻き付き部２０は、電線群９０に巻き付けられた部分である。本実施形態における巻き付き部２０は、硬質巻き付き部２１と軟質巻き付き部２２とを含む。
【００４６】
＜電線保護部材の巻き付き部＞
巻き付き部２０は、絶縁電線９１〜９３の延伸方向に沿う一辺３０が他の部分よりも内側に位置する状態で絶縁電線９１〜９３に巻き付けられている。シート材３の基部３０１が、絶縁電線９１〜９３に巻き付けられることによって巻き付き部２０となる。
【００４７】
図２に示されるように、本実施形態の巻き付き部２０は、複数の絶縁電線９１〜９３を２つ以上のグループに仕切る状態で電線群９０に巻き付けられている。図２に示される例では、巻き付き部２０は、電線群９０を第一絶縁電線９１、第二絶縁電線９２及び第三絶縁電線９３の３つのグループに仕切る状態で電線群９０に巻き付けられている。
【００４８】
即ち、シート材３の基部３０１における一辺３０からの第一部分領域が、第一絶縁電線９１に巻き付けられている。また、基部３０１における第一部分領域に連なる第二部分領域が、第一部分領域の外側において第二絶縁電線９２に巻き付けられている。さらに、基部３０１における第二部分領域に連なる第三部分領域が、第二部分領域の外側において第三絶縁電線９３に巻き付けられている。これにより、第一絶縁電線９１、第二絶縁電線９２及び第三絶縁電線９３は、巻き付き部２０によって仕切られる。
【００４９】
そして、硬質巻き付き部２１は、絶縁電線９１〜９３に巻き付けられた後に硬化した絶縁層３１の第一部分３１１と、その絶縁層３１の第一部分３１１に積層した導電層３２の第一部分３２１とからなる。一方、軟質巻き付き部２２は、硬化していない、或いは少なくとも硬質巻き付き部２１よりも柔軟性の高い状態で硬化した部分である。
【００５０】
絶縁層３１が不織布である場合、例えば、金型を用いた加熱成形（ホットプレス成形）が行われた部分が硬質巻き付き部２１となり、そうでない部分が軟質巻き付き部２２となる。或いは、より高い圧力で圧縮されつつ加熱成形（ホットプレス成形）された部分が硬質巻き付き部２１となり、それより低い圧力で圧縮されつつ加熱成形された部分が軟質巻き付き部２２となる。従って、軟質巻き付き部２２は硬質巻き付き部２１よりも太い。
【００５１】
巻き付き部２０の絶縁層３１は、巻き付き部２０の外装を形成している。即ち、巻き付き部２０において、導電層３２は絶縁電線９１〜９３に対向する側の面を形成しており、絶縁層３１はその反対側の面を形成している。なお、巻き付き部２０の絶縁層３１には、絶縁層３１の第一部分３１１が含まれる。
【００５２】
図１に示される例では、硬質巻き付き部２１は、電線保護部材２における絶縁電線９１〜９３の延伸方向の両端部の２箇所に形成されている。そのため、巻き付き部２０は、粘着テープ又は結束ベルトなどの結束材によって結束されていなくても、電線群９０に巻き付いた状態で保持される。
【００５３】
なお、硬質巻き付き部２１が、電線保護部材２の３箇所以上に設けられることも考えられる。また、硬質巻き付き部２１が、電線保護部材２の１箇所にのみ設けられることも考えられる。但し、この場合、軟質巻き付き部２２が、粘着テープ又は結束ベルトなどの結束材によって結束されることが望ましい。
【００５４】
＜電線保護部材の張出部＞
一方、張出部２３は、絶縁層３１の第一部分３１１に連なった絶縁層３１の第二部分３１２と、その絶縁層３１の第二部分３１２に積層した導電層３２の第二部分３２２とからなる。
【００５５】
絶縁層３１の第二部分３１２は、硬質巻き付き部２１から側方へ張り出した板状で硬化している。また、導電層３２の第二部分３２２は、導電層３２の第一部分３２１に連なっている。シート材３の舌片部３０２が張出部２３となる。
【００５６】
本実施形態においては、絶縁層３１が不織布であるため、張出部２３を構成する絶縁層３１の第二部分３１２は、不織布が加熱成形（ホットプレス成形）により板状に硬化した部分である。
【００５７】
また、導電層３２の第二部分３２２は、張出部２３の両面のうちの少なくとも一方をなしている。即ち、導電層３２の第二部分３２２は、張出部２３の表裏両面のうちの少なくとも一方において露出面をなしている。
【００５８】
また、本実施形態における張出部２３は、２重以上に折り畳まれた構造を有する。図２に示される例では、張出部２３は、導電層３２の第二部分３２２が外側面をなす状態で２重に折り畳まれた構造を有する。この場合、導電層３２の第二部分３２２は、張出部２３の表裏両側において露出面をなす。
【００５９】
また、図１，２に示される例では、固定用の孔２３１が張出部２３に形成されている。張出部２３は、孔２３１に通された金属製のネジなどの導電性の固定具によって支持体に固定される。固定先の支持体は、筐体接地の基準電位点であり、例えば、車両の金属フレームなどである。
【００６０】
図１に示される例では、張出部２３は、電線保護部材２における絶縁電線９１〜９３の延伸方向の両端部の２箇所に形成されている。なお、張出部２３が、電線保護部材２の３箇所以上に設けられることも考えられる。
【００６１】
また、一連の硬質巻き付き部２１と１つの張出部２３とが必ずしも１対１に対応している必要はない。例えば、複数の張出部２３が、一連の硬質巻き付き部２１に連なって形成されることが考えられる。また、硬質巻き付き部２１が、複数箇所に別れて設けられている場合、１つ又は複数の張出部２３が、複数箇所の硬質巻き付き部２１のうちの一部にのみ形成されることも考えられる。
【００６２】
＜ワイヤハーネスの取り付け態様＞
次に、図４，５，８を参照しつつ、ワイヤハーネス１の取り付け態様の３つの例について説明する。図４は、直線に沿って取り付けられたワイヤハーネス１の平面図である。図５は、曲線に沿って取り付けられたワイヤハーネス１の平面図である。図８は挟み込み構造により支持体７に取り付けられたワイヤハーネス１の正面図である。
【００６３】
図４，５に示される例では、電線保護部材２における２つの張出部２３各々が、金属製のネジ６（ボルト）によって支持体７に固定されている。さらに、図４に示される例では、２つの張出部２３は、電線保護部材２の巻き付き部２０を直線に沿う状態に保持する位置に固定されている。
【００６４】
また、図５に示される例では、２つの張出部２３は、電線保護部材２の軟質巻き付き部２２を曲線に沿う状態に保持する位置に固定されている。ワイヤハーネス１の電線保護部材２は、柔軟性を有する軟質巻き付き部２２を有している。そのため、図５に示されるように、ワイヤハーネス１を曲線に沿う状態に固定することも可能である。
【００６５】
一方、図８に示される例では、張出部２３は、支持体７に設けられた導電性のクリップ部６０に挟み込まれることにより支持体７に固定されている。クリップ部６０は、弾性力によって張出部２３を挟み込む部分である。電線保護部材２の張出部２３は、図８に示されるような挟み込み構造によって支持体７に取り付けられてもよい。
【００６６】
＜第２実施形態＞
次に、図６を参照しつつ、本発明の第２実施形態に係るワイヤハーネス１Ａについて説明する。図６は、ワイヤハーネス１Ａの斜視図である。
【００６７】
ワイヤハーネス１Ａは、図１〜５に示されたワイヤハーネス１と比較して、軟質巻き付き部２２を有していない点のみが異なっている。図６において、図１〜５に示される構成要素と同じ構成要素は、同じ参照符号が付されている。以下、ワイヤハーネス１Ａにおけるワイヤハーネス１と異なる点についてのみ説明する。
【００６８】
ワイヤハーネス１Ａも、ワイヤハーネス１と同様に、電線群９０と電線群９０の周囲を囲む電線保護部材２Ａとを備えている。さらに、電線保護部材２Ａは、電線群９０に巻き付けられた巻き付き部２０Ａと巻き付き部２０Ａからその側方へ張り出した張出部２３とを備えている。
【００６９】
また、電線保護部材２Ａの巻き付き部２０Ａは、電線保護部材２の巻き付き部２０と同様に、電線群９０を第一絶縁電線９１、第二絶縁電線９２及び第三絶縁電線９３の３つのグループに仕切る状態で電線群９０に巻き付けられている。
【００７０】
しかしながら、電線保護部材２Ａの巻き付き部２０Ａは、全体が硬質巻き付き部２１である。この場合、電線保護部材２Ａの絶縁層３１が不織布であることも考えられるが、絶縁層３１が不織布以外の部材からなることも考えられる。
【００７１】
例えば、電線保護部材２Ａの絶縁層３１が、紫外線硬化樹脂のシート部材が硬化して得られた硬質な部材であることが考えられる。また、電線保護部材２Ａの絶縁層３１が、湿気硬化樹脂のシート部材が硬化して得られた硬質な部材であることも考えられる。また、電線保護部材２Ａの絶縁層３１が、熱硬化樹脂のシート部材が硬化して得られた硬質な部材であることも考えられる。
【００７２】
紫外線硬化樹脂は、各種考えられるが、例えば、アクリルレート、不飽和ポリエステル、エポキシ、オキセタン又はビニルエーテルなどを主成分とする樹脂である。また、湿気硬化樹脂は、例えば、一液湿気硬化型ポリウレタン樹脂などである。
【００７３】
電線保護部材２Ａの巻き付き部２０Ａは、それ自体が電線群９０を予め定められた経路に沿う形状に保持する機能を有している。図６に示される例では、電線保護部材２Ａの巻き付き部２０Ａは直線に沿って形成されている。
【００７４】
＜第３実施形態＞
次に、図７を参照しつつ、本発明の第３実施形態に係るワイヤハーネス１Ｂについて説明する。図７は、ワイヤハーネス１Ｂの平面図である。
【００７５】
ワイヤハーネス１Ｂは、図６に示されたワイヤハーネス１Ａと比較して、巻き付き部の形状のみが異なっている。図７において、図１〜６に示される構成要素と同じ構成要素は、同じ参照符号が付されている。以下、ワイヤハーネス１Ｂにおけるワイヤハーネス１Ａと異なる点についてのみ説明する。
【００７６】
ワイヤハーネス１Ｂも、ワイヤハーネス１Ａと同様に、電線群９０と電線群９０の周囲を囲む電線保護部材２Ｂとを備えている。さらに、電線保護部材２Ｂは、電線群９０に巻き付けられた巻き付き部２０Ｂと、巻き付き部２０Ｂの硬質巻き付き部２１からその側方へ張り出した張出部２３と、を備えている。
【００７７】
さらに、電線保護部材２Ｂの巻き付き部２０Ｂは、電線保護部材２Ａの巻き付き部２０Ａと同様に、全体が硬質巻き付き部２１である。しかしながら、電線保護部材２Ｂの巻き付き部２０Ｂは、曲線に沿う形状で形成されている。
【００７８】
巻き付き部２０Ｂは、シート材３における電線群９０に巻き付けられた基部３０１が、予め定められた曲がった形状に保持された状態で、所定の硬化処理を施されることによって得られる。電線保護部材２Ｂの巻き付き部２０Ｂは、それ自体が電線群９０を曲線経路に沿う形状に保持する機能を有している。
【００７９】
＜効果＞
ワイヤハーネス１，１Ａ，１Ｂにおいて、導電層３２を含む電線保護部材２，２Ａ，２Ｂは、電磁シールド機能を備えている。そして、一連の電線保護部材２，２Ａ，２Ｂが、電線群９０を２つ以上のグループに仕切る状態で電線群９０に巻き付けられた構造を有する。この場合、絶縁電線９１，９２，９３のグループの数に関わらず、電線保護部材２，２Ａ，２Ｂの取り付けに要する工数はほとんど変わらない。即ち、絶縁電線９１，９２，９３のグループの数に関わらず、電線保護部材２，２Ａ，２Ｂの取り付けは容易である。
【００８０】
また、電線保護部材２，２Ａ，２Ｂの絶縁層３１は、電線群９０に巻き付けられた後に硬化した合成樹脂の層である第一部分３１１を含む。そのような絶縁層３１の硬化部は、例えば図７に示されるように、電線群９０を予め定められた経路に沿う形状に維持する機能（経路規制機能）も果たす。
【００８１】
また、ワイヤハーネス１において、合成樹脂の不織布が電線保護部材２の絶縁層３１として採用されている。この場合、不織布の緩衝性により、電線保護部材２が周囲の物と接触して異音を発することを防止できる。
【００８２】
さらに、合成樹脂の不織布が絶縁層３１として採用される場合、絶縁層３１の一部のみを硬化させることができ、また、絶縁層３１を部分ごとに異なる硬さで硬化させることもできる。そのため、要求仕様に応じて部分ごとに異なる硬さの電線保護部材２を容易に提供することができる。
【００８３】
例えば、電線保護部材２における硬質巻き付き部２１及び張出部２３以外の特定の部分を曲げやすい柔らかな状態にすることなどが可能である。その結果、図４，５に示されるように、ワイヤハーネス１を多様な経路に沿う状態で取り付けることが可能となる。
【００８４】
また、多少の寸法誤差は、軟質巻き付き部２２の変形によって許容される。この点も、電線保護部材２の取り付けの容易性に寄与する。
【００８５】
また、ハイブリッド自動車又は電気自動車などの電動車両のワイヤハーネスは、前述したように、それぞれ電磁シールドの要求仕様が異なる３種類の絶縁電線９１，９２，９３を含む場合がある。従って、３本以上の絶縁電線を３つのグループに仕切る電線保護部材２，２Ａ，２Ｂを含むワイヤハーネス１，１Ａ，１Ｂは、電動車両への適用に好適である。
【００８６】
＜その他＞
ワイヤハーネス１，１Ａ，１Ｂにおいて、電線保護部材２，２Ａ，２Ｂは、電線群９０（絶縁電線）に巻き付けられた状態で硬化した硬質巻き付き部２１と、その硬質巻き付き部２１から側方へ張り出した張出部２３と、を有する。そして、電線保護部材２，２Ａ，２Ｂは、絶縁層３１と導電層３２とを含む積層構造を有する。
【００８７】
従って、電線保護部材２，２Ａ，２Ｂにおける巻き付き部２０，２０Ａ，２０Ｂは、電線群９０を保護するとともに電磁シールド機能を果たす。そして、図４，５に示される、張出部２３が基準電位点となる導電性の支持体７に固定されるだけで、電磁シールド機能を有する電線保護部材２，２Ａ，２Ｂの取り付けが完了する。
【００８８】
即ち、張出部２３が導電性の支持体７に固定されるだけで、張出部２３及びそれに連なる硬質巻き付き部２１が支持体に固定され、その結果、電線保護部材２，２Ａ，２Ｂ全体が支持体７に固定される。当時に、電線群９０を覆う導電層３２の第一部分３２１が、張出部２３における導電層３２の第二部分３２２の露出面を通じて基準電位点（支持体７）に電気的に接続される。
【００８９】
また、巻き付き部２０，２０Ａ，２０Ｂにおける張出部２３と連なる部分が、硬化処理によって硬化した硬質巻き付き部２１である。そのため、張出部２３が固定されるだけで、電線保護部材２，２Ａ，２Ｂ全体がぐらつくことなくしっかりと固定される。
【００９０】
以上に示されるように、ワイヤハーネス１，１Ａ，１Ｂが採用されれば、電磁シールド機能を有する電線保護部材２，２Ａ，２Ｂの取り付けが容易となる。即ち、電線保護部材２，２Ａ，２Ｂを固定する作業と、電線群９０を覆う導電部材（シールド部材）を基準電位点に接続する作業とを個別に行う必要がない。
【００９１】
また、ワイヤハーネス１，１Ａ，１Ｂにおいて、電線保護部材２，２Ａ，２Ｂの張出部２３は、２重以上に折り畳まれた構造を有する。この場合、張出部２３における絶縁層３１の第二部分３１２の厚みが大きくなり、張出部２３の強度が増す。その結果、電線保護部材２，２Ａ，２Ｂを支持体７に対して強固に固定することが可能となる。
【００９２】
ワイヤハーネス１，１Ａ，１Ｂにおいて、張出部２３は、２重以上に折り畳まれた構造を有する。しかしながら、張出部２３が折り畳まれた構造を有さないことも考えられる。
【００９３】
ワイヤハーネス１，１Ａ，１Ｂにおいて、電線保護部材２，２Ａ，２Ｂが硬質巻き付き部２１（硬化部）を有さないことも考えられる。この場合、電線保護部材２，２Ａ，２Ｂは、粘着テープなどの結束材によって電線群９０に巻き付けられた状態に維持される。例えば、粘着テープなどの結束材は、電線群９０に巻き付けられたシート状の電線保護部材２，２Ａ，２Ｂにおける少なくとも両端部において、電線群９０と電線保護部材２，２Ａ，２Ｂとを結束する。
【００９４】
なお、本発明に係るワイヤハーネスは、各請求項に記載された発明の範囲において、以上に示された各実施形態を自由に組み合わせること、或いは各実施形態を適宜、変形する又は一部を省略することによって構成されることも可能である。
【符号の説明】
【００９５】
１，１Ａ，１Ｂ  ワイヤハーネス
２，２Ａ，２Ｂ  電線保護部材
３  シート材
６  ネジ
７  支持体
２０，２０Ａ，２０Ｂ  巻き付き部
２１  硬質巻き付き部
２２  軟質巻き付き部
２３  張出部
３０  電線保護部材（シート材）の一辺
３１  絶縁層
３２  導電層
６０  クリップ部
８１  金属端子
８２  コネクタ
９０  電線群
９１  第一絶縁電線
９２  第二絶縁電線
９３  第三絶縁電線
２３１  孔
３０１  基部
３０２  舌片部
３１１  絶縁層の第一部分
３１２  絶縁層の第二部分
３２１  導電層の第一部分
３２２  導電層の第二部分
【図１】
2014204485.tif 000003
【図２】
2014204485.tif 000004
【図３】
2014204485.tif 000005
【図４】
2014204485.tif 000006
【図５】
2014204485.tif 000007
【図６】
2014204485.tif 000008
【図７】
2014204485.tif 000009
【図８】
2014204485.tif 000010